(57)【要約】【課題】  少ないリソースで複数の印刷装置を効率よく利用する負荷分散印刷技術を提供すること。【解決手段】  複数の印刷装置１０２〜１０４に対応する複数のプリントキューのうち、いずれか１つを基本プリントキュー７０１として設定し、それ以外のプリントキューをバックアッププリントキュー７０１Ａ、７０１Ｂとして設定する。そして、生成した印刷ジョブ情報を基本プリントキュー７０１に登録し、その印刷ジョブ情報に対応するバックアップジョブ情報を生成して、バックアッププリントキュー７０１Ａ、７０１Ｂに登録する。各プリントキューにおいては、印刷ジョブ情報が登録されている場合には、優先的に印刷ジョブ情報を対応する印刷装置１０２〜１０４に送信し、印刷ジョブ情報が登録されておらず、バックアップジョブ情報のみが登録されている場合には、そのバックアップジョブ情報を印刷ジョブ情報に変更して対応する印刷装置１０２〜１０４に送信する。【選択図】  図７
2006209809.tif 000002
【特許請求の範囲】
【請求項１】
複数の印刷装置に印刷ジョブを送信可能な情報処理装置であって、
前記複数の印刷装置の各々に対応する複数のプリントキューについて、前記複数のプリントキューのうち、いずれか１つを基本プリントキューとして設定し、前記基本プリントキュー以外のプリントキューをバックアッププリントキューとして設定するプリントキュー設定手段と、
印刷ジョブ情報を前記基本プリントキューに登録する印刷ジョブ登録手段と、
前記基本プリントキューに登録された前記印刷ジョブ情報に対応するバックアップジョブ情報を生成して、前記バックアッププリントキューに登録するバックアップジョブ登録手段と、
前記基本プリントキュー及び前記バックアッププリントキューのそれぞれにおいて、印刷ジョブ情報が登録されている場合には、優先的に該印刷ジョブ情報に対応する印刷ジョブを、対応する印刷装置に対して出力し、印刷ジョブ情報が登録されておらず、バックアップジョブ情報に対応する印刷ジョブが出力可能な場合には、そのバックアップジョブ情報を印刷ジョブ情報に変更して、対応する印刷装置に印刷ジョブを出力するジョブ制御手段と、
を備えることを特徴とする情報処理装置。
【請求項２】
前記基本プリントキュー及び前記バックアッププリントキューにおいて、登録されている前記印刷ジョブ情報及びそれに対応するバックアップジョブ情報のいずれか１つが印刷装置への出力の対象となった場合に、出力の対象とならなかった前記印刷ジョブ情報またはそれに対応するバックアップジョブ情報を前記基本プリントキュー及び前記バックアッププリントキューから削除する削除手段を備えることを特徴とする請求項１に記載の情報処理装置。
【請求項３】
前記印刷ジョブ情報は、印刷データを含まず、印刷データの格納先、印刷装置の識別情報、及び印刷方法を含む情報であり、
前記バックアップジョブ情報は、印刷データ及び印刷データの格納先を含まず、前記印刷ジョブ情報へのリンクを含む情報であることを特徴とする請求項１又は２に記載の情報処理装置。
【請求項４】
前記基本プリントキューに登録された印刷ジョブ情報の種別を識別する識別手段を更に備え、
前記バックアップジョブ登録手段は、前記識別手段によって識別された印刷ジョブ情報の種別が所定の種別であった場合に、前記バックアップジョブ情報の生成を行わないことを特徴とする請求項１から３のいずれかに記載の情報処理装置。
【請求項５】
前記基本プリントキュー及び前記バックアッププリントキューは、それぞれ、前記印刷ジョブ情報を登録するための第１プリントキュー領域と、前記バックアップジョブ情報を登録するための第２プリントキュー領域と、を備えることを特徴とする請求項１から４のいずれかに記載の情報処理装置。
【請求項６】
前記バックアップジョブ情報を表示することなく前記印刷ジョブ情報に基づくを表示を行う表示手段を更に備えることを特徴とする請求項１から５のいずれかに記載の情報処理装置。
【請求項７】
前記基本プリントキューは、印刷指示がなされた印刷装置のプリントキューであり、前記バックアッププリントキューは印刷指示がなされた印刷装置以外のプリントキューであることを特徴とする請求項１から６のいずれかに記載の情報処理装置。
【請求項８】
前記基本プリントキューに対してバックアッププリンタキューを関連付ける設定画面の表示を行う表示制御手段を更に備えることを特徴とする請求項１から７のいずれかに記載の情報処理装置。
【請求項９】
複数の論理プリンタを備える情報処理装置であって、
第１論理プリンタの第１プリントキューに実ジョブ情報を登録し、第２論理プリンタの第２プリントキューに前記実ジョブ情報に対応した仮想ジョブ情報を登録する登録手段と、
前記第２プリントキューに実ジョブ情報が登録されておらず、前記仮想ジョブ情報に対応する印刷ジョブを出力できる場合に、前記第１プリントキューに登録された実ジョブ情報に対応する印刷ジョブを出力することなく、前記仮想ジョブ情報から変更し作成した実ジョブ情報に対応する印刷ジョブを出力するジョブ制御手段と、
を備えることを特徴とする情報処理装置。
【請求項１０】
請求項１から９のいずれかに記載の情報処理装置と、印刷装置とからなる印刷システム。
【請求項１１】
複数の印刷装置に負荷を分散しつつ印刷するための負荷分散印刷方法であって、
前記複数の印刷装置に対応する複数のプリントキューについて、前記複数のプリントキューのうち、いずれか１つを基本プリントキューとして設定し、前記基本プリントキュー以外のプリントキューをバックアッププリントキューとして設定するプリントキュー設定ステップと、
印刷ジョブ情報を前記基本プリントキューに登録する印刷ジョブ登録ステップと、
前記基本プリントキューに登録された前記印刷ジョブ情報に対応するバックアップジョブ情報を生成して、前記バックアッププリントキューに登録するバックアップジョブ登録ステップと、
前記基本プリントキュー及び前記バックアッププリントキューのそれぞれにおいて、印刷ジョブ情報が登録されている場合には、優先的に前記印刷ジョブ情報に対応する印刷ジョブを、対応する印刷装置に出力し、印刷ジョブ情報が登録されておらず、バックアップジョブ情報に対応する印刷ジョブが出力可能な場合には、そのバックアップジョブ情報を印刷ジョブ情報に変更し、印刷ジョブを対応する印刷装置に出力するジョブ制御ステップと、
を備えることを特徴とする負荷分散印刷方法。
【請求項１２】
前記基本プリントキュー及び前記バックアッププリントキューにおいて、登録されている前記印刷ジョブ情報及びそれに対応するバックアップジョブ情報のいずれか１つが印刷装置への出力の対象となった場合に、出力の対象とならなかった前記印刷ジョブ情報またはそれに対応するバックアップジョブ情報を前記基本プリントキュー及び前記バックアッププリントキューから削除する削除ステップとを備えることを特徴とする請求項１１に記載の負荷分散印刷方法。
【請求項１３】
前記印刷ジョブ情報は、印刷データを含まず、印刷データの格納先、印刷装置の識別情報、及び印刷方法を含む情報であり、
前記バックアップジョブ情報は、印刷データ及び印刷データの格納先を含まず、前記印刷ジョブ情報へのリンクを含む情報であることを特徴とする請求項１１または１２に記載の負荷分散印刷方法。
【請求項１４】
前記基本プリントキューに登録された印刷ジョブ情報の種別を識別する識別ステップを更に備え、
前記バックアップジョブ登録ステップは、前記識別ステップにおいて識別された印刷ジョブ情報の種別が所定の種別であった場合に、前記バックアップジョブ情報の生成を行わないことを特徴とする請求項１１から１３のいずれかに記載の負荷分散印刷方法。 
【請求項１５】
前記基本プリントキュー及び前記バックアッププリントキューは、それぞれ、前記印刷ジョブ情報を登録するための第１プリントキュー領域と、前記バックアップジョブ情報を登録するための第２プリントキュー領域と、を備えることを特徴とする請求項１１から１４のいずれかに記載の負荷分散印刷方法。
【請求項１６】
前記バックアップジョブ情報を表示させることなく前記印刷ジョブ情報に基づく表示を行わせる第１表示制御ステップを更に備えることを特徴とする請求項１１から１５のいずれかに記載の負荷分散印刷方法。
【請求項１７】
前記基本プリントキューは、印刷指示がなされた印刷装置のキューであり、前記バックアッププリントキューは印刷指示がなされた印刷装置以外のキューであることを特徴とする請求項１１から１６のいずれかに記載の負荷分散印刷方法。
【請求項１８】
基本プリントキューに対してバックアッププリントキューを関連付ける設定画面の表示を行わせる第２表示制御ステップを備えることを特徴とする請求項１１から１７のいずれかに記載の負荷分散印刷方法。
【請求項１９】
複数の論理プリンタを備える情報処理装置を用いた負荷分散印刷方法であって、
第１論理プリンタの第１プリントキューに実ジョブ情報を登録し、第２論理プリンタの第２プリントキューに仮想ジョブ情報を登録する登録ステップと、
前記第２プリントキューに実ジョブ情報が登録されておらず、前記仮想ジョブ情報に基づくジョブ出力を行える場合に、前記第１プリントキューに登録された実ジョブ情報に基づくジョブ出力を行わせることなく、前記仮想ジョブ情報から変更し作成した実ジョブ情報に基づくジョブ出力を行わせるジョブ制御ステップと、
を備えることを特徴とする負荷分散印刷方法。
【請求項２０】
請求項１１から１９のいずれかに記載の負荷分散印刷方法の各ステップをコンピュータに実現させることを特徴とするプログラム。
【請求項２１】
請求項２０に記載のプログラムを格納したことを特徴とするコンピュータ読み取り可能な記憶媒体。
【発明の詳細な説明】
【技術分野】
【０００１】
本発明は、複数の印刷装置を効率よく利用するための印刷処理技術に関するものである。
【背景技術】
【０００２】
従来から、文書を大量に印刷する必要のある状況において、１つの高速大量印刷装置を使用して大量印刷を行うのではなく、複数の低価格中速印刷装置に印刷負荷を分散し、それら並列に動作させることにより安価に高速印刷を実現する負荷分散印刷システムが存在する。
【０００３】
そして、このように複数の印刷装置を並列に動作させる場合、特定の印刷装置に負荷が偏るという問題があり、この問題を解決するために、複数の印刷装置を効率よく利用するための様々な技術が提案されている（例えば、特許文献１参照）。
【特許文献１】特開平０６−２５９２０６号公報
【発明の開示】
【発明が解決しようとする課題】
【０００４】
しかしながら、特許文献１に代表される従来のプリントシステムでは、複数のプリントキューに対して同じ印刷データを重複して登録し、最初に印刷可能となった印刷装置に対応するプリントキューに登録した印刷データを利用して、それ以外のプリントキューに登録した印刷データを削除している。しかし、このように同じ印刷データを重複して登録するのでは、メモリ容量や演算処理などのリソース負荷が大きいという問題があった。また、一時的ではあるが、複数の同じ印刷データがプリントキューを占有するので、全体としてキューに登録されている印刷ジョブが多くなり、印刷ジョブのスケジューリングを行いにくいという問題があった。更に、ユーザにプリントキューの状態を提示する場合に、実際の印刷ジョブの数以上に、プリントキューが非常に混雑しているように見えてしまい、ユーザを混乱させてしまうという問題があった。
【０００５】
本発明は上記従来の課題を解決するためになされたもので、少ないリソースで複数の印刷装置に効率よく印刷を行わせる負荷分散印刷技術を提供することを目的とする。
【課題を解決するための手段】
【０００６】
上記目的を達成するため、本発明に係る装置は、
複数の印刷装置に印刷ジョブを送信可能な情報処理装置であって、
前記複数の印刷装置の各々に対応する複数のプリントキューについて、前記複数のプリントキューのうち、いずれか１つを基本プリントキューとして設定し、前記基本プリントキュー以外のプリントキューをバックアッププリントキューとして設定するプリントキュー設定手段と、
印刷ジョブ情報を前記基本プリントキューに登録する印刷ジョブ登録手段と、
前記基本プリントキューに登録された前記印刷ジョブ情報に対応するバックアップジョブ情報を生成して、前記バックアッププリントキューに登録するバックアップジョブ登録手段と、
前記基本プリントキュー及び前記バックアッププリントキューのそれぞれにおいて、印刷ジョブ情報が登録されている場合には、優先的に該印刷ジョブ情報に対応する印刷ジョブを、対応する印刷装置に対して出力し、印刷ジョブ情報が登録されておらず、バックアップジョブ情報に対応する印刷ジョブが出力可能な場合には、そのバックアップジョブ情報を印刷ジョブ情報に変更して、対応する印刷装置に印刷ジョブを出力するジョブ制御手段と、
を備えることを特徴とする。
【０００７】
上記目的を達成するため、本発明に係る装置は、複数の論理プリンタを備える情報処理装置であって、
第１論理プリンタの第１プリントキューに実ジョブ情報を登録し、第２論理プリンタの第２プリントキューに前記実ジョブ情報に対応した仮想ジョブ情報を登録する登録手段と、
前記第２プリントキューに実ジョブ情報が登録されておらず、前記仮想ジョブ情報に対応する印刷ジョブを出力できる場合に、前記第１プリントキューに登録された実ジョブ情報に対応する印刷ジョブを出力することなく、前記仮想ジョブ情報から変更し作成した実ジョブ情報に対応する印刷ジョブを出力するジョブ制御手段と、
を備えることを特徴とする。
【０００８】
上記目的を達成するため、本発明に係るシステムは、印刷システムであって、上述の情報処理装置と、印刷装置とからなる。
【０００９】
上記目的を達成するため、本発明に係る方法は、複数の印刷装置に負荷を分散しつつ印刷するための負荷分散印刷方法であって、
前記複数の印刷装置に対応する複数のプリントキューについて、前記複数のプリントキューのうち、いずれか１つを基本プリントキューとして設定し、前記基本プリントキュー以外のプリントキューをバックアッププリントキューとして設定するプリントキュー設定ステップと、
印刷ジョブ情報を前記基本プリントキューに登録する印刷ジョブ登録ステップと、
前記基本プリントキューに登録された前記印刷ジョブ情報に対応するバックアップジョブ情報を生成して、前記バックアッププリントキューに登録するバックアップジョブ登録ステップと、
前記基本プリントキュー及び前記バックアッププリントキューのそれぞれにおいて、印刷ジョブ情報が登録されている場合には、優先的に前記印刷ジョブ情報に対応する印刷ジョブを、対応する印刷装置に出力し、印刷ジョブ情報が登録されておらず、バックアップジョブ情報に対応する印刷ジョブが出力可能な場合には、そのバックアップジョブ情報を印刷ジョブ情報に変更し、印刷ジョブを対応する印刷装置に出力するジョブ制御ステップと、
を備えることを特徴とする。
【００１０】
本発明に係る他の方法は、複数の論理プリンタを備える情報処理装置を用いた負荷分散印刷方法であって、
第１論理プリンタの第１プリントキューに実ジョブ情報を登録し、第２論理プリンタの第２プリントキューに仮想ジョブ情報を登録する登録ステップと、
前記第２プリントキューに実ジョブ情報が登録されておらず、前記仮想ジョブ情報に基づくジョブ出力を行える場合に、前記第１プリントキューに登録された実ジョブ情報に基づくジョブ出力を行わせることなく、前記仮想ジョブ情報から変更し作成した実ジョブ情報に基づくジョブ出力を行わせるジョブ制御ステップと、
を備えることを特徴とする。
【００１１】
上記目的を達成するため、本発明に係るプログラムは、上記負荷分散印刷方法の各ステップをコンピュータに実現させることを特徴とする。上記目的を達成するため、本発明に係る記憶媒体は、上記プログラムを格納したことを特徴とする。
【発明の効果】
【００１２】
本発明によれば、少ないリソースで複数の印刷装置を効率よく利用する負荷分散印刷技術を提供することができる。
【発明を実施するための最良の形態】
【００１３】
以下に、図面を参照して、この発明の好適な実施の形態を例示的に詳しく説明する。ただし、この実施の形態に記載されている構成要素はあくまで例示であり、この発明の範囲をそれらのみに限定する趣旨のものではない。
【００１４】
なお、本明細書において、印刷データとはＰＤＬ等で記述された画像データであり、印刷ジョブ情報は、印刷データを出力したいプリンタ、印刷データの格納場所、及び印刷方法に関する情報であり、印刷ジョブは、印刷データと印刷ジョブ情報とを組み合わせたものである。
【００１５】
＜概要＞
本実施形態に係るプリントシステムは、特開平０６−２５９２０６号公報に開示されているシステムと異なり、独立した共有プリントキューをもたず、プリントデバイスに対応するプリントキューのみを備える。そして、複数のプリントデバイスに対応するプリントキューのいずれか１つが基本プリントキューとして設定され、それ以外のプリントキューはバックアッププリントキューとして設定される。本実施形態では基本プリントキューを単にプリントキューと称し、基本プリントキューに対応するプリントデバイスを負荷分散用プリントデバイスと称する。また、バックアッププリントキューに対応するプリントデバイスをバックアッププリントデバイスと称する。
【００１６】
プリンタドライバで生成された印刷ジョブの印刷ジョブ情報は、優先的に基本プリントキューに登録され、同時にその印刷ジョブ情報のバックアップとしてのジョブ情報がバックアッププリントキューに生成される。この印刷ジョブ情報に対応するバックアップジョブ情報のことを、本実施形態では仮想ジョブ情報と称し、これと比較する意味で、バックアップではない通常の印刷ジョブ情報を実ジョブ情報と称する。実ジョブ情報は、印刷データの格納場所を含むが、仮想ジョブは、印刷データとの直接の関連性はなく、その代わりに実ジョブ情報の識別情報（実ジョブＩＤ）を含む。これにより、仮想ジョブ情報から実ジョブ情報を導き出すことができる。
【００１７】
バックアッププリントキューを含むすべてのプリントキューは、概念的に実ジョブ情報用のキュー（実ジョブキュー）と仮想ジョブ情報用のキュー（仮想ジョブキュー）に分かれている。ユーザが印刷ジョブの状態を確認するために一般的な方法でプリントキューを参照した場合には、仮想ジョブキューはユーザインタフェースには表示されず、実ジョブキューのみが表示される。従って、ユーザは通常、実ジョブ情報の状態のみを認識可能である。
【００１８】
負荷分散印刷の指示があると、その指示に含まれる印刷ジョブ情報を、プリントキュー内の実ジョブキューに実ジョブ情報として登録し、他の全バックアッププリントキュー内の仮想ジョブキューには、その実ジョブ情報に対応する仮想ジョブ情報を生成する。そして、プリントキュー内の実ジョブキューにおいて、先に登録された実ジョブ情報がすべて対応するプリントデバイスに送信される前に、いずれかのバックアッププリントキュー内の実ジョブキューが空になると、そのバックアッププリントキュー内の仮想ジョブキューに登録された仮想ジョブ情報が、対応する実ジョブ情報を引き継いで、実ジョブ情報に切り替わり、実ジョブキューに登録される。そしてその直後、その実ジョブ情報に含まれる格納場所に格納された印刷データとともに、プリントデバイスに送信される。
【００１９】
つまり、負荷分散印刷に対応する印刷ジョブは、一旦基本プリントキューに登録され、その後、最も早いタイミングで印刷可能となったいずれかのプリントデバイスに送信される。従って、複数の同じ印刷データを重複登録することなく効率的に負荷分散印刷を行うことができる。
【００２０】
また、ユーザインタフェースにおいては、負荷分散印刷指示を行うと、まず、負荷分散用プリントデバイスの基本プリントキューに印刷ジョブ情報を示すオブジェクトが現われ、その後、最先に印刷可能となったバックアッププリントデバイスのプリントキューにその印刷ジョブ情報が移動して印刷が開始したように見える。即ち、１つの印刷データに対応する印刷ジョブのオブジェクトは１つしか表示されないため、ユーザが混乱することもない。
【００２１】
なお、本システムでは複数の種類の印刷ジョブを取り扱うことができるが、特定の種類の印刷ジョブは負荷分散印刷の対象とならない。例えば、セキュアジョブと呼ばれる印刷ジョブは、セキュリティ上、ユーザの把握しないプリンタでは出力したくない印刷ジョブである。従って、プリンタドライバの設定でセキュアプリントとなっていると、対象となる印刷ジョブについては、仮想ジョブを生成せず、指定されたプリントデバイスのプリントキューの実ジョブキューにのみ実ジョブ情報が登録される。また、セキュアジョブの出力時には、プリントデバイスに対してパスワード入力が必要となる。
【００２２】
＜システム構成＞
図１は、本発明の実施形態に係るプリントシステムの全体構成を示すブロック図である。本プリントシステムは、情報処理装置としてのプリントサーバ１０１と、印刷装置（プリントデバイス）としてのネットワークプリンタ１０２〜１０５と、クライアント（コンピュータ）１０７、１０８とを含み、これらが互いに接続されていることにより、全体としてネットワークを構成している。
【００２３】
プリントサーバ１０１には、印刷制御プログラムが実行可能に格納されており、本プリントシステムに含まれるネットワークプリンタ１０２〜１０５を管理する機能のほか、ネットワークで使用されるファイルを蓄積したり、ネットワークの使用状態を監視したりする機能を有する。具体的には、プリントサーバ１０１は、自身により印刷ジョブを作成し、ネットワークプリンタ１０２〜１０５に転送する機能と、クライアント１０７で生成された印刷データを受信し、その印刷データを含む印刷ジョブを生成してスケジューリング処理によりネットワークプリンタ１０２〜１０５に転送する機能と、クライアント１０７、１０８で作成され、そこにスプールされている印刷ジョブに対してスケジューリング処理を行いクライアント１０７、１０８からネットワークプリンタ１０２〜１０５に直接印刷ジョブを転送するよう指示する機能とを有する。プリントサーバ１０１は、必ずしもプリンタの管理に特化したコンピュータである必要はなく、プリント管理機能を備えた汎用のコンピュータであればよく、他のコンピュータとの関係でクライアントとして機能してもよい。
【００２４】
ネットワークプリンタ１０２〜１０５は、プリントサーバ１０１やクライアント１０７から、印刷データを含む印刷ジョブを受信し、受信した印刷ジョブを解析して印刷する物理的な装置としてのプリントデバイスである。ネットワークプリンタ１０２〜１０５としては、電子写真方式を採用したレーザービームプリンタやインクジェット方式を採用したインクジェットプリンタや熱転写方式を利用したプリンタ等、あらゆる方式の印刷装置を採用することができる。
【００２５】
クライアント１０７、１０８は、プリントサーバ１０１との関係でクライアントとして機能するコンピュータである。
【００２６】
なお、本プリントシステムに含まれる装置間の通信は、イーサネット（登録商標）ケーブルなどを利用した有線通信でもよいし、電波や光などを利用した無線通信でもよい。
【００２７】
＜プリントサーバ及びクライアントの構成＞
図２は、図１に示したプリントサーバ１０１及びクライアント１０７、１０８のハードウェア構成を説明するブロック図である。プリントサーバ１０１及びクライアント１０７、１０８は、ハードウェア構成上、特別な差異はないため、ここでは代表的に、プリントサーバ１０１の構成について説明する。
【００２８】
図２において、ＣＰＵ２００は、ＨＤ（ハードディスク）２０５に格納されているアプリケーションプログラム、プリンタドライバプログラム、ＯＳや印刷制御プログラム等を読出して実行し、ＲＡＭ２０２にプログラムの実行に必要な情報、ファイル等を一時的に格納制御を行うための制御手段である。
【００２９】
ＲＯＭ２０１は、基本Ｉ／Ｏプログラム等のプログラム、文書処理の際に使用するフォントデータ、テンプレート用データ等の各種データを記憶する記憶手段である。ＲＡＭ２０２は、ＣＰＵ２００の主メモリやワークエリア等として機能する一時記憶手段である。
【００３０】
ＦＤ（フロッピー（登録商標）ディスク）ドライブ２０３は、後述する図５に示すように記憶媒体としてのＦＤ２０４に記憶されたプログラム等を本コンピュータシステムにロードするための記憶媒体読み込み手段である。なお、プリントサーバ１０１及びクライアント１０７、１０８は、ＦＤドライブ２０３に代えて、あるいはＦＤドライブ２０３と共に、他の記憶媒体読込手段を備えてもよい。他の記憶媒体としては、ＣＤ−ＲＯＭ、ＣＤ−Ｒ、ＣＤ−ＲＷ、ＰＣカード、ＤＶＤ、ＩＣメモリカード、ＭＯ、メモリスティック等、コンピュータが読み取り可能なあらゆる記憶媒体が挙げられる。
【００３１】
ＨＤ２０５は、大容量メモリとして機能する外部記憶手段であり、アプリケーションプログラム、プリンタドライバプログラム、ＯＳ、印刷制御プログラム、及び関係プログラム等を格納している。更に、スプール手段であるスプーラはここに確保される。なお、プリントサーバ１０１ではスプール手段としてサーバスプーラが確保され、クライアントではスプール手段としてクライアントスプーラが確保される。
【００３２】
キーボード２０６は、ユーザがプリントサーバ１０１やクライアント１０７、１０８に対して、デバイスの制御コマンドの命令等を入力指示するための指示入力手段である。
【００３３】
ディスプレイ２０７は、キーボード２０６から入力したコマンドや、プリンタ１０２〜１０５の状態等を表示する表示手段である。なお、実際にはプリントサーバ１０１及びクライアント１０７、１０８上で稼動するオペレーティングシステムを介して表示手段に表示指示がなされ、このオペレーティングシステムに本印刷処理プログラムによりリソースファイルの表示指示が行われ、後述する各表示が実現される。２０８はシステムバスであり、プリントサーバ１０１またはクライアント１０７、１０８としてのコンピュータ内の、データの流れをつかさどるものである。
【００３４】
またインタフェース２０９は、入出力手段であり、プリントサーバ１０１またはクライアント１０７，１０８は、インタフェース２０９を介してネットワーク上の他の装置とのデータのやり取りを行う。
【００３５】
＜メモリマップ等の説明＞
図３は、図２に示したＲＡＭ２０２のメモリマップの一例を示す図であり、印刷制御プログラムが、ＲＡＭ２０２にロードされ実行可能となった状態のメモリマップである。図５は、図２に示したＦＤドライブ２０３に対して挿入されるＦＤ２０４との関係を示す図であり、図２と同一のものには同一の符号を付してある。同図において、ＦＤ２０４には、印刷制御プログラム及び関係データを格納している。
【００３６】
印刷制御プログラム及び関係データは、予めＦＤ２０４からＨＤ２０５にインストールされて、ＨＤ２０５からＲＡＭ２０２にロードするようにしてもよいしＦＤ２０４から直接ＲＡＭ２０２にロードして実行させてもよい。更に、印刷制御プログラムをＲＯＭ２０１に記憶しておき、これをメモリマップの一部となすように構成し、直接ＣＰＵ２００で実行することも可能である。また、以上の各装置と同等の機能を実現するソフトウェアをもって、ハードウェア装置の代替として構成することもできる。
【００３７】
印刷制御プログラムは、クライアントにおいては、印刷ジョブの印刷先の変更を指示したり、印刷順序を変更したりする指示をするための制御を行う。一方、プリントサーバにおいては、印刷ジョブの順序制御を行ったり、印刷ジョブの印刷終了や印刷先変更要求などを通知したりする。また、印刷制御プログラムは、クライアントにインストールされるモジュールと、プリントサーバにインストールされるモジュールとを別々に含んでいてもよいし、ひとつの印刷制御プログラムが、実行される環境によりクライアント用として機能したり、プリントサーバ用として機能したりするようにしてもよい。あるいは、一台のコンピュータに、クライアント用の機能を持つモジュールとプリントサーバ用として機能するモジュールとをともにインストールし、同時にあるいは時分割で、擬似的に平行動作させる構成も可能である。
【００３８】
３０１は基本Ｉ／Ｏプログラムを記憶するための領域である。基本Ｉ／Ｏプログラムは、装置（プリントサーバ１０１またはクライアント１０７，１０８）の電源がＯＮされたときに、ＨＤ２０５からＯＳがＲＡＭ２０２に読み込まれ、ＯＳの動作を開始させるＩＰＬ（イニシャルプログラムローデイング）機能などを有しているプログラムである。
【００３９】
３０２はＯＳ（オペレーティングシステム）を記憶する領域であり、３０３は印刷制御プログラムを記憶する領域である。３０４は、関係データを記憶する領域である。３０５はワークエリアで、ＣＰＵ２００が各種のプログラムを実行するための領域である。
【００４０】
図４は、図２に示したＦＤ２０４のメモリマップの一例を示す図である。図４において、４００はＦＤ２０４のデータ内容であり、データの情報を示すボリューム情報４０１と、ディレクトリ情報４０２と、印刷制御プログラム４０３と、その関係データ４０４を含んでいる。
【００４１】
＜プリントシステムのソフトウェア構成＞
次に、本プリントシステムのソフトウェア構成について説明する。図６Ａは、サーバ１０１あるいはクライアント１０７，１０８におけるソフトウェア構成の一例を示す図である。それぞれの構成間の矢印は、アプリケーションから発行された描画コマンドを含む印刷ジョブが、どのように処理されるかを示したものである。また、各ブロックで示されたソフトウェア構成は、図２のＣＰＵ２００によって実行され、所望の機能を実現する。
【００４２】
通常、Ｍｉｃｒｏｓｏｆｔ  Ｗｏｒｄ（登録商標）などの一般的なアプリケーションプログラム６０１は印刷の指示を受け付けると、一連の描画コマンドを、ＯＳを介して生成する。ＯＳを介して生成された描画コマンドを受け取ったＰＤＬドライバ６０２は、一連の描画コマンドに基づいてネットワークプリンタ１０２〜１０４で解釈可能なＰＤＬファイルを含む印刷ジョブを生成する。なお、以下の説明ではＰＤＬドライバを例に説明を行うが、これに限定されるものではなく、例えば、ＢＤＬ（Ｂａｎｄ  ｄｅｓｃｒｉｐｔｉｏｎ  Ｌａｎｇｕａｇｅ）や、圧縮ビットマップを作成するプリンタドライバ、あるいは、アプリケーション及びＯＳによりプリンタドライバを介さずに印刷データを生成する形態などにも適用可能であることはいうまでもない。
【００４３】
ＰＤＬドライバ６０２は、プリントデバイスへ印刷ジョブを送信するためにＯＳが用意したジョブ制御ポートモニタ６０８ではなく、ジョブ制御ポートモニタ６０４に送信すべく、生成した印刷ジョブをスプーラ６０３に渡す。ジョブ制御ポートモニタ６０４は、ジョブ制御プリントサービス６０５が印刷データを受け取るために必要なモジュールである。ジョブ制御ポートモニタ６０８は、ジョブ制御プリントサービスにプリントデータを渡さず、プリントデバイスにデータを転送するモジュールであり、ＯＳに組み込まれている。ジョブ制御ポートモニタ６０８に印刷ジョブが投入されると、ジョブ制御プリントサービスにジョブが引き継がれず、直接プリントデバイスに印刷ジョブが転送される。
【００４４】
ここではＯＳをウィンドウズ（登録商標）と仮定しているのでスプーラ６０３はウィンドウズ（登録商標）スプーラである。ただし、本発明を適用するコンピュータのＯＳはＷｉｎｄｏｗｓ（登録商標）に限定されるものではなく、描画命令を備えるものであれば他のＯＳも適用可能であることはいうまでもない。
【００４５】
スプーラ６０３は、ユーザがユーザインタフェースを介して選択し指示したポートモニタ６０４、６０８に印刷ジョブを渡して、ネットワークプリンタ１０２〜１０４等のプリントデバイスに送信させる手順をとる（矢印ａ）。ここでは、ユーザはあらかじめ負荷分散印刷用のポートモニタ６０４（以降、ジョブ制御ポートモニタと略記）を指定して印刷を指示したものとして説明を進める。
【００４６】
また、プリンタドライバインタフェースを介して設定された用紙サイズ、ステープル指示等の印刷設定情報も、ジョブ制御ポートモニタ６０４に送信される。
【００４７】
ジョブ制御ポートモニタ６０４は、印刷ジョブをそのままプリントデバイス１０２〜１０４に送信するのではなく、負荷分散印刷用のプリントサービス６０５（以降、ジョブ制御プリントサービスと称する）に送信する（矢印ｂ）。
【００４８】
ジョブ制御プリントサービス６０５は、転送された印刷ジョブ及びデバイスの状態を管理する機能を備える。特にプリントデバイスとデータ転送元とがピアツーピアで接続され直接印刷ジョブをプリントデバイスに投入する場合には、プリントデバイスから通知されるデバイス状態やジョブの状態などの情報を管理したり、また、プリントデバイスに対して所定の命令を行なったりする機能も備える。これは、複数のネットワークプリンタ１０２〜１０４のデバイス情報やジョブ情報を管理する機能に相当する。そして、印刷ジョブの順序管理機能（負荷分散印刷機能）に基づき順番が到来した印刷ジョブをネットワークプリンタ１０２〜１０４に転送する（矢印ｃ、ｄ）。
【００４９】
ここで、ジョブ制御プリントサービス６０５が実現する印刷ジョブの順序管理機能について詳しく説明する。この順序管理機能には、以下の機能が含まれる。
【００５０】
・複数のプリントデバイスに対応する複数のプリントキューのうち、負荷分散印刷用として設定されたプリントデバイスに対応するプリントキュー以外のプリントキューをバックアッププリントキューとして設定するプリントキュー設定機能
・ジョブ制御ポートモニタ６０４から転送された印刷ジョブ情報を負荷分散印刷用プリントキュー（基本プリントキュー）に登録する印刷ジョブ登録機能と、負荷分散印刷用プリントキューに登録された印刷ジョブ情報に対応するバックアップジョブ情報を生成して、バックアッププリントキューに登録するバックアップジョブ登録機能
・負荷分散印刷用プリントキュー及びバックアッププリントキューのそれぞれを管理し、印刷ジョブ情報が登録されているプリントキューにおいては、優先的に印刷ジョブ情報をスケジュールアップ（その印刷ジョブ情報に対応する印刷データを、プリントキューに対応するプリントデバイスに送信）し、印刷ジョブ情報が登録されておらず、バックアップジョブ情報のみが登録されているプリントキューでは、そのバックアップジョブ情報を印刷ジョブ情報に変更して、対応するプリントデバイスに印刷データを送信するジョブ制御機能
・負荷分散印刷用プリントキュー及びバックアッププリントキューにおいて、登録されている印刷ジョブ情報及びそれに対応するバックアップジョブ情報のいずれか１つがプリントデバイスに送信された場合には、送信の対象とならなかった印刷ジョブ情報またはそれに対応するバックアップジョブ情報をすべてのプリントキューから削除する削除機能。
【００５１】
プリントマネージャ６０９は、ユーザが、ジョブ制御プリントサービス６０５内部でプリントジョブがどのような状態にあるかを調べたり、プリントジョブを操作したりするためのユーザインタフェースを提供するプログラムである。プリントマネージャ６０９は、ジョブ制御プリントサービス６０５のソフトウェアのインタフェース（ＡＰＩ：Ａｐｐｌｉｃａｔｉｏｎ  Ｐｒｏｇｒａｍ  Ｉｎｔｅｒｆａｃｅ）を介して、ジョブ制御プリントサービス６０５と情報・指示をやり取りしている。
【００５２】
そして、主に、ジョブ制御プリントサービス６０５が管理するネットワークプリンタ１０２〜１０４の状態情報をイベントとして取得する機能を備える。イベントの通知の種別としては、トナー残量が少なくなった警告、クライアントとデバイスとの通信障害、メモリ不足、排紙トレイ満載などのエラー／警告情報の通知や、エラー状態から正常状態に復帰した正常情報の通知などが想定される。ここでのジョブ制御プリントサービス６０５はネットワークを介して通信可能な各プリントデバイスの印刷実行中、電力制御状態、障害情報（紙ジャム）等のステータスを監視する機能を備える。
【００５３】
更に詳細な処理としては、プリントマネージャ６０９がジョブ制御プリントサービス６０５に対してデバイスを指定したイベントを発行し、ジョブ制御プリントサービス６０５は発行されたイベントに基づくデバイスのステータスを監視して、監視に基づく結果をプリントマネージャ６０９に通知する。
【００５４】
マネージメントコンソール６１０は、ソフトウェアがアクセスするためのＡＰＩを介して、ジョブ制御プリントサービス６０５と情報・指示をやり取りすることで、サーバ１０１またはクライアント１０７，１０８の全体を監視することができる。
【００５５】
また、ジョブ制御プリントサービス６０５は、デバイス情報コントロールモジュール６０６を用いて各ネットワークプリンタ１０２〜１０４と通信を行い、各プリンタ内の印刷ジョブや動作状態に関する情報を入手したりする機能を明示したものでありジョブ制御プリントサービス６０５に含めるように考えても良い。
【００５６】
一方、負荷分散印刷を行なわず、一般的なオペレーティングシステムに標準で搭載されるようなプリント機能を利用する場合においては、ＰＤＬプリンタドライバ６０２で生成されたＰＤＬファイルはスプーラ６０３からジョブ制御ポートモニタ６０８をへて（矢印ｅ）、ネットワークプリンタ１０２〜１０４に転送される（矢印ｆ）。
【００５７】
次に、図６Ａを用いて説明したシステムの変形例について、図６Ｂを参照して説明する。図６Ｂは、負荷分散印刷に必要な機能を、クライアント１０７，１０８とサーバ１０１とが分担し、それぞれが協力し合って実現する場合について表わしたものである。具体的には、クライアント１０７、１０８で作成し、サーバ１０１側のプリントキューに登録された印刷ジョブ情報に対し、プリントサーバ１０１がスケジューリングを行う場合のデータの流れを示している。なお、図６Ａと同じ構成は同じ符号で表わしている。
【００５８】
図６Ｂのシステムでは、クライアント１０７，１０８は、マネージメントコンソール６１０やデバイス情報コントロールモジュール６０６をもつ必要はなく、サーバ１０１がそれらを有することにより、一括してプリントデバイスのデバイス情報を管理する。また、サーバ１０１は、ジョブ制御サーバ６１２を有し、デバイス情報コントロールモジュール６０６を用いて各プリントデバイス１０２〜１０４と通信を行い、各プリンタ内の印刷ジョブや動作状態に関する情報を入手したり、操作を行ったりする。入手した情報は、ジョブ制御プリントサービス６０５に渡し共有することができる。
【００５９】
また、ジョブ制御サーバ６１２は、個々のクライアント１０７、１０８上のジョブ制御プリントサービス６０５がプリントデバイス１０２〜１０４に印刷ジョブを送信するタイミングを集中制御（スケジューリング）する。ジョブ制御サーバ６１２は基本的にジョブ制御プリントサービス６０５と同様の機能を備えており、論理的にジョブ制御プリントサービス６０５とジョブ情報を共有している。ここでジョブ情報とは、印刷対象となるドキュメント名や、印刷ジョブのＩＤや、印刷ジョブが投入されたプリンタ名など、印刷ジョブの各種属性情報である。
【００６０】
つまり、図６Ａで説明した、印刷ジョブの順序管理機能（負荷分散印刷制御機能）は図６Ｂではサーバ１０１のみに設けられていてもよく、クライアント１０７，１０８で生成された一旦保持される印刷ジョブを、どういう順序でどのプリントデバイスへ投入すべきかが、ジョブ制御サーバ６１２からジョブ制御プリントサービス６０５に通知される。ジョブ制御プリントサービス６０５ではジョブ制御サーバ６１２からの指示に従い、印刷ジョブをネットワークプリンタ１０２〜１０４に対して転送する。
【００６１】
以上のソフトウェア構成において、図６Ａのプリントシステムでは、ジョブ制御ポートモニタ６０４、ジョブ制御プリントサービス６０５、プリントマネージャ６０９、マネージメントコンソール６１０が印刷制御プログラムに含まれる。また、図６Ｂのクライアント１０７、１０８では、ジョブ制御ポートモニタ６０４、ジョブ制御プリントサービス６０５、プリントマネージャ６０９が印刷制御プログラムに含まれ、プリントサーバ１０１では、デバイス情報コントロールモジュール６０６、マネージメントコンソール６１０、ジョブ制御サーバ６１２が印刷制御プログラムに含まれる。
【００６２】
なお、プリントシステムのソフトウェア構成は、図６Ａ、図６Ｂに限定されるものではなく、その他の様々な構成でも本発明を実現可能である。例えば、クライアントが、アプリケーション６０１からジョブ制御サポートモニタ６０４までの構成のみを備え、ジョブ制御プリントサービス６０５、プリントマネージャ６０９、マネージメントコンソール６１０、デバイス情報コントロールモジュール６０６をサーバ１０１が備えていてもよい。
【００６３】
＜印刷ジョブの流れ＞
次に、図７を用いてアプリケーション６０１からプリントデバイスまでの印刷ジョブの流れについて説明する。ここで、図６Ａと同じソフトウェア構成について同じ参照番号を付与しており、その機能については詳説しない。
【００６４】
図７に示すように、概念的には、ＰＤＬドライバ６０２、スプーラ６０３、ジョブ制御ポートモニタ６０４は、プリントデバイス１０２〜１０４ごとに用意されている。ＯＳがウィンドウズ（登録商標）の場合には、これらをまとめてウィンドウズ（登録商標）プリントシステム７００と称する場合もある。
【００６５】
ジョブ制御プリントサービス６０５には、プリントデバイス１０２〜１０４に対応する数のプリントキュー７０１、７０１Ａ、７０１Ｂ及び出力ポート７０２、７０２Ａ、７０２Ｂが含まれている。この出力ポートには対応するプリントデバイスのＩＰアドレス又は名前解決で使用されるネーム（ＤＮＳ：Ｄｏｍａｉｎ  Ｎａｍｅ  Ｓｙｓｔｅｍ）が関連付けられている。そして、このＩＰアドレス又はＤＮＳに基づきジョブの送信先が特定されジョブの送信（出力）が行なわれる。プリントキューは、ある所定のジョブが投入された１つの基本プリントキュー７０１と複数のバックアッププリントキュー７０１Ａ、７０１Ｂとに分類されている。なお、本実施形態では、物理的な装置であるプリントデバイス単位にプリントキューを設定することとしているが、本願発明はこれに限定されるものではなく、論理プリンタ単位にプリントキューを設定してもよい。つまり、複数のプリントデバイスに対して１つの論理プリンタを設定して、その論理プリンタについて１つのプリントキューを設定しても良いし、更には、１つのプリントデバイスに対して複数の論理プリンタを設定して、その複数の論理プリンタのそれぞれに対してプリントキューを設定してもよい。
【００６６】
負荷分散印刷を行う場合、アプリケーション６０１は、負荷分散印刷の設定を持つプリンタを指定して印刷指示を発行する。この印刷指示に基づいてＰＤＬドライバ６０２によって生成された印刷ジョブがジョブ制御ポートモニタ６０４からジョブ制御プリントサービス６０５に渡されると、その印刷ジョブ情報は、まずプリントキュー７０１に保持され、同時に、その印刷ジョブ情報に対応する仮想ジョブ情報がバックアッププリントキュー７０１Ａ、７０１Ｂに生成される。そして、それらのジョブのうちいずれか１つがプリントデバイス１０２〜１０４に送られる。バックアッププリントキューに対応するプリントデバイスは、バックアッププリンタと呼ばれ、ユーザが指定したプリントデバイスが混雑している場合などに利用される予備的なプリントデバイスを指す。
【００６７】
＜各種の情報の内容＞
Ｉ．プリントキューの実ジョブキューと仮想ジョブキュー
図８は、プリントキュー７０１内の実ジョブキュー８０１と仮想ジョブキュー８０２を示す図である。実ジョブキュー８０１と仮想ジョブキュー８０２は、負荷分散印刷処理を行う場合に使用する、印刷ジョブ情報を管理するキューである。そして、各論理プリンタ毎に図８に示されるような実ジョブキューと仮想ジョブキューとを含むプリントキューが対応付けられることとなる。また、１つのプリントデバイスに対して論理プリンタが１つの場合には、図８に示されるプリントキューはプリントデバイスに対応するプリントキューに相当することとなる。そしてこのプリントキューがある時は基本プリントキューとなり、ある時はバックアッププリントキューとして機能する。
【００６８】
上述したように、実ジョブ情報は、印刷データそのものは含まないが、スプールファイル名などの印刷データへのリンクを含む印刷ジョブ情報で、実ジョブキューで管理される。また、仮想ジョブ情報は実ジョブ情報へのリンク（実ジョブ情報のＩＤ）を含み、印刷データはもちろんのこと、印刷データへのリンクも含まない。そして、仮想ジョブ情報は、仮想ジョブキューで管理される。
【００６９】
ＩＩ．プリントキュー情報
図９は、プリントキュー７０１で受け付けた印刷ジョブの動作を決めるプリントキュー情報を示す図である。ここで、プリントキュー情報の設定内容の、プリンタ名、プリンタドライバ名、プリントタイプ、及びバックアッププリンタ名について説明する。なお、図９の情報は図６Ａのようなシステム形態では、ジョブ制御プリントサービス６０５において保持され、図６Ｂのようなシステム形態ではジョブ制御プリントサービス６０５及びジョブ制御サーバ６１２の双方において共有して保持されるものとする。
【００７０】
プリンタ名は、Ｗｉｎｄｏｗｓ（登録商標）のプリンタオブジェクトの名前を示しており、プリンタオブジェクト毎に異なる名前であり、プリンタオブジェクトを識別することができる。プリンタドライバ名は、プリンタオブジェクトに設定されているプリンタドライバの名前である。プリントタイプは、プリントキューで受け付けた印刷ジョブの動作を決定する設定である。バックアッププリンタ名は、負荷分散印刷処理などの場合に使用される負荷分散印刷するためのプリンタの名前である。プリントタイプに負荷分散印刷の設定がなされていて、プリントキュー７０１で印刷ジョブを受け付けると、後述する方式によって受け付けたプリントキュー（負荷分散プリントキューとする）とプリントキュー情報に設定されている複数のバックアッププリンタの中から、先に転送可能なプリンタに印刷ジョブを移動し、複数のプリンタの中で印刷の負荷を分散する処理を行う。
【００７１】
ＩＩＩ．実ジョブ情報
図１０は、プリントキュー７０１の実ジョブキューに登録される印刷ジョブ情報を示す図である。図１０の情報は図９と同様に図６Ａのようなシステム形態では、ジョブ制御プリントサービス６０５において保持され、図６Ｂのようなシステム形態ではジョブ制御プリントサービス６０５及びジョブ制御サーバ６１２の双方において共有して保持される。
【００７２】
実ジョブは、所定の記憶領域にスプールされた印刷データを含む印刷ジョブであり、出力ポートに送られて実際に転送処理が行われプリンタで出力される印刷ジョブである。実ジョブ情報は、実ジョブに含まれる各種の設定情報であり、プリントキュー７０１に登録される。
【００７３】
以下、実ジョブ情報の設定内容（ドキュメント名、ジョブＩＤ、プリントタイプ、実行タイプ、仮想ジョブＩＤ、先頭ジョブマーク、送信済みプリンタリスト）、スプールファイル名について説明する。
【００７４】
ドキュメント名はアプリケーション７０１が印刷するジョブ（印刷データファイル）の名前である。
【００７５】
ジョブＩＤは実ジョブ情報に割り振られる任意のＩＤでジョブを識別するためのＩＤである。プリントキュー７０１が印刷ジョブを受け付けるとそのジョブにジョブＩＤを割り当てる。
【００７６】
プリントタイプは、図９と同様であり実ジョブの動作を決定する情報で、負荷分散印刷などの情報が設定される。プリントキュー７０１が実ジョブ情報を受け付けると、プリントタイプから情報を取得し実ジョブ情報のプリントタイプに設定する。
【００７７】
実行タイプは、印刷ジョブのタイプを表す情報で、（１）ネットワークプリンタ１０２〜１０４でパスワードを入力しなければ印刷できないパスワード入力ジョブ、（２）暗号化されたセキュアジョブ、（３）ネットワークプリンタ１０２〜１０４で出力する直前にオフラインになるオフラインジョブ、（４）ネットワークプリンタ１０２〜１０４のＨＤに保存される保存ジョブなどのタイプが設定される。これは、プリンタドライバからジョブのタイプの通知を受け付けたり、アプリケーションからジョブのタイプの通知を受け付けたりした場合に設定する項目である。また、ジョブのタイプを判別し設定する場合もある。
【００７８】
仮想ジョブＩＤは、負荷分散印刷処理を行う場合に作成される仮想ジョブ情報のＩＤを設定する。複数の仮想ジョブ情報が発生する場合には、仮想ジョブＩＤは複数設定される。
【００７９】
先頭ジョブマークは、ネットワークプリンタ１０２〜１０４で管理されている印刷ジョブの先頭を現すマークである。
【００８０】
送信済みプリンタリストは、実ジョブを送信したプリンタの名前を設定するリストである。
【００８１】
スプールファイル名は、アプリケーションデータに基づき作成された印刷データからなるスプールファイルの名前であり、所定の記憶部に記憶されたスプールファイルを特定するために利用される。スプールファイル名の代わりにスプールファイルＩＤを採用するようにしても良い。実ジョブ情報に基づくジョブ出力が対応するプリントデバイスに対して行なわれる場合に、前記実ジョブ情報に関連付けられたスプールファイル名に基づき特定される印刷データがプリントデバイスに対して出力されるべく出力ポートに書きこまれる。
【００８２】
ＩＶ．仮想ジョブ情報
図１１は、プリントキュー７０１の仮想ジョブキューに登録される仮想ジョブ情報を示す図である。図１１の情報は図９、１０と同様に図６Ａのようなシステム形態では、ジョブ制御プリントサービス６０５において保持され、図６Ｂのようなシステム形態ではジョブ制御プリントサービス６０５及びジョブ制御サーバ６１２の双方において共有して保持される。
【００８３】
仮想ジョブ情報は、負荷分散の実ジョブ情報と関連する情報で、負荷分散印刷処理でスケジュール管理するために必要な情報である。
【００８４】
以下、仮想ジョブ情報の設定内容のドキュメント名、ジョブＩＤ、プリントタイプ、実ジョブＩＤについて説明する。
【００８５】
ドキュメント名は、仮想ジョブ情報に対応する実ジョブ情報の印刷対象ドキュメント名であり、仮想ジョブ情報が作られるときに、実ジョブ情報からコピーされる。
【００８６】
ジョブＩＤは仮想ジョブ情報を識別するためのＩＤで、仮想ジョブ情報が作成されるときに設定される情報である。
【００８７】
プリントタイプは、仮想ジョブ情報に対応する実ジョブのプリントタイプであり、仮想ジョブが作成されるときに、実ジョブ情報のプリントタイプからコピーされる。
【００８８】
実ジョブＩＤは、仮想ジョブ情報と関連する実ジョブ情報のＩＤであり、仮想ジョブ情報が作成されるときに設定される情報である。
【００８９】
なお、図１１中には、図１０において説明した印刷データを特定するためのスプールファイル名が含まれていないが、事前に仮想ジョブ情報にスプールファイル名を含めるようにして、後述する実ジョブ情報の変更の際に、この事前に関連付けられたスプールファイル名を用いるようにしても良い。
【００９０】
＜負荷分散処理＞
本実施形態の負荷分散印刷処理では、アプリケーションが印刷指示を行ったプリンタの負荷分散印刷設定に従って、負荷分散プリンタのプリントキューに実ジョブ情報を、バックアッププリンタのバックアッププリントキューに仮想ジョブを生成し、その中で、転送開始指示（スケジュールアップ）の早い印刷ジョブがプリントデバイスに転送される。
【００９１】
図１２は、本実施形態の負荷分散印刷処理のジョブ受付処理から仮想ジョブ作成までの処理を示すフローチャートである。
【００９２】
図１３は、図１２のフローチャートの処理を説明した図である。図１３では、プリントキュー７０１の実ジョブキュー８０１にジョブＩＤが「１」の実ジョブ情報、別のプリントデバイスに対応するバックアッププリントキュー７０１Ａに実ジョブキュー８０１ＡにジョブＩＤが「５」の実ジョブ情報があり、それぞれの実ジョブ情報に対応する印刷データを、プリントデバイスへ転送中であるという前提で説明している。なお、このジョブＩＤ「５」の実ジョブ情報は、例えば他のクライアントからバックアッププリントキュー７０１Ａに対応するプリントデバイスを基本プリントデバイスとして負荷分散印刷指示を行った場合に登録されたものと考えることができる。その場合には、プリントキュー７０１および７０１Ｂがそれぞれバックアッププリントキューとされ、それぞれのバックアッププリントキューにおける仮想ジョブキューに仮想ジョブ情報が登録される。
【００９３】
アプリケーション６０１が印刷を開始すると、ステップＳ１２０１において、プリントキュー７０１はスプーラ６０３、ジョブ制御ポートモニタ６０４経由で印刷ジョブを受け付ける。
【００９４】
次に、ステップＳ１２１３において、印刷ジョブの種別を判断する。実ジョブ情報の実行タイプにより仮想ジョブ情報を作成するかどうかを判断する。ネットワークプリンタ１０２〜１０４でパスワードを入力しなければ印刷できないパスワード入力ジョブ、暗号化されネットワークプリンタ１０２〜１０４の内、特定のプリンタでのみ印刷可能なセキュアジョブ、ネットワークプリンタ１０２〜１０４で出力する直前にオフラインになるオフラインジョブ、ネットワークプリンタ１０２〜１０４のＨＤに保存される保存ジョブなど、特定のネットワークプリンタでのみ受付可能な場合には、ステップＳ１２１１に処理を移行する。そうでない場合には、ステップＳ１２０２に処理を移行する。
【００９５】
ステップＳ１２０２において、プリントキュー情報のプリントタイプを参照し、負荷分散印刷であるかを確認する。負荷分散印刷であれば、ステップ１２０３に処理を移行する。負荷分散印刷でなければ、ステップＳ１２１１に進む。ステップＳ１２０３では、複数のプリントキューのうち、印刷ジョブの出力対象とされたプリントデバイスに対応するプリントキューが基本プリントキューとして設定され、この基本プリントキューに含まれる実ジョブキューに、受け付けた印刷ジョブの実ジョブ情報を登録する。
【００９６】
ドキュメント名としては、スプーラ６０３からジョブを受け付けるときに取得したものを設定する。ジョブＩＤはジョブ情報を作成するときに生成し設定する。プリントタイプは、プリントキュー情報のプリントタイプの情報を設定する。
【００９７】
本実施の形態の場合には、プリントキュー情報のプリントタイプは負荷分散印刷であるため、実ジョブ情報のプリントタイプには、負荷分散印刷が設定される。ステップＳ１２０４において作成された実ジョブ情報をプリントキュー７０１の実ジョブキュー８０１に登録する（図１３のジョブＩＤ「７」のジョブ）。ステップＳ１２０５において、プリントキュー情報のバックアッププリンタ名を取得する。複数設定されている場合には、複数のバックアッププリンタ名を取得する。そして、バックアッププリンタに対応するプリントキューがバックアッププリントキューとして設定される。
【００９８】
次に、ステップＳ１２０６において、取得した複数のバックアッププリンタ名の各々から特定されるバックアッププリントキュー順に、仮想ジョブ情報を作成し、各情報を設定する。
【００９９】
ドキュメント名は、実ジョブ情報のドキュメント名から情報を取得し設定する。ジョブＩＤは仮想ジョブ情報を作成するときに生成し設定する。プリントタイプは、実ジョブ情報のプリントタイプの情報から取得し設定する。実ジョブＩＤは実ジョブ情報のジョブＩＤから取得し設定する。
【０１００】
ステップＳ１２０７において、実ジョブ情報の仮想ジョブＩＤに仮想ジョブ情報のジョブＩＤを設定する。仮想ジョブは複数発生する場合があるため、仮想ジョブが作成される順に仮想ジョブＩＤ１、仮想ジョブＩＤ２、...と設定していく。
【０１０１】
ステップ１２０８において仮想ジョブ情報を仮想ジョブキュー８０２Ａに登録する（図１３のジョブＩＤ「８」のジョブ）。
【０１０２】
ステップ１２０９において、ステップＳ１２０５で取得したバックアッププリンタ（バックアッププリントキュー）が残っていれば、ステップＳ１２０６に処理を移行する。
【０１０３】
図１３では、ステップＳ１２０５で取得したバックアッププリンタが２つある場合を想定して説明しているため、仮想ジョブ情報は、２つ作成され、夫々、仮想ジョブキュー８０２Ａ、８０２ＢにジョブＩＤが「８」と「９」の仮想ジョブが作成され、実ジョブ（ジョブＩＤが７）の実ジョブ情報に関連付けられた仮想ジョブ情報には、「８」と「９」のジョブＩＤが設定される。また、ジョブＩＤが「８」と「９」の仮想ジョブ情報内の実ジョブＩＤには、「７」が設定される。
【０１０４】
ステップＳ１２０９において、ステップＳ１２０５で取得したバックアッププリンタが残っていなければ、ステップＳ１２１０に移行し、作成した実ジョブとすべての仮想ジョブのスケジュール要求を発行する。
【０１０５】
図１４は、各プリントキュー７０１、７０１Ａ、７０１Ｂの各々において発行されるアクションに対するスケジュール処理を示す図である。ジョブ制御プリントサービス６０５における処理に相当する。
【０１０６】
ステップＳ１４０１では、各プリントキューのスケジュールの管理を行い、いずれかのプリントキューに印刷ジョブを登録したモジュール（例えばジョブ制御ポートモニタ）からのスケジュール要求、印刷ジョブの送信完了（出力ポートからプリントデバイスへの印刷データの送信を終了したことを示す情報）、印刷ジョブの削除、印刷ジョブの完了（最終ページ排紙通知）、デバイス復帰通知（例えば電源ＯＦＦからＯＮ状態になった場合になど、動作不可能な状態から動作可能な状態に移行したことを示すイベント）などのアクションを監視する。各プリントキューに対する、上記アクションが発生すると、ステップＳ１４０２に処理を移行し、アクションが発生しない場合は、ステップＳ１４０１で待機処理を行う。ここで、スケジュール要求のアクションは例えばジョブ制御ポートモニタから発生する。また印刷ジョブの削除は、プリントマネージャ６０９から発生される。また、印刷ジョブの送信完了及び印刷ジョブの完了はプリントデバイスにおいて発生し、出力ポートを介して通知される。ただし、これらのアクションの発生ルートはこれに限定されるものではない。
【０１０７】
ステップＳ１４０２において、上記アクションが発生したプリントキュー７０１、７０１Ａ、７０１Ｂを確認し、実ジョブキュー８０１、８０１Ａ、８０１Ｂ、仮想ジョブキュー８０２、８０２Ａ、８０２Ｂの順に検索し、いずれかのプリントキューに何らかの印刷ジョブ情報が存在していればステップＳ１４０３に処理を移行し、印刷ジョブ情報が無ければステップＳ１４０１に移行する。
【０１０８】
ステップＳ１４０３において、ネットワークプリンタ１０２〜１０４のうち、ステップＳ１４０１において所定のアクションが発生したプリントキューに対応するネットワークプリンタの動作ステータスを取得する。例えば、印刷ジョブの完了のアクションに応じてステータスを取得するようにする。
【０１０９】
また、ステップＳ１４０３におけるデバイスステータスの取得で、デバイス制御コントロールモジュール６０６を介したポーリングを行い、このポーリングと所定のアクションの発生によるデバイスステータスの取得を併用するようにすれば、より迅速にプリントデバイスが転送可能な動作ステータスになったか否かを調べることができる。
【０１１０】
ステップＳ１４０４において前のステップにおいて取得されたステータスに基づいて、現在対象となっているプリントキューに対応するネットワークプリンタに印刷データを転送可能かどうか判断する。ここでデータ転送不可能と判断される動作ステータスとしては、例えば（１）紙無しやトナー無しなど消耗品が不足した状態や、（２）画像記録を継続できない例えばジャム（紙詰まり）などの障害が発生している状態や、（３）印刷データを送信するチャネルがオフラインである状態や、（４）プリンタ側（ネットワークボードも含む）でこれ以上受信バッファに余裕がなくビジーの状態などが挙げられる。また、この（１）乃至（２）のステータスを任意に組み合わせてそれをデータ転送可能でないと判断するステータスとするようにしても良い。
【０１１１】
ステップＳ１４０４において、アクション発生の対象となっているネットワークプリンタに印刷データを転送可能であれば、ステップＳ１４０５に処理を移行し、転送不可能であれば、処理をステップＳ１４０１に移行する。
【０１１２】
ステップＳ１４０５において、ステップＳ１４０２で見つけたジョブに対して、スケジュールアップ要求を発行し、処理をステップＳ１４０１に移行する。この時、実ジョブが見つかっていれば、仮想ジョブよりも先に実ジョブに対してスケジュールアップ要求を発行する。つまり、登録の順番に係わらず、実ジョブを仮想ジョブよりも優先する。
【０１１３】
例えば、ステップＳ１４０１で印刷ジョブＢのスケジュール要求が発生した時に、前の印刷ジョブ（印刷ジョブＡ）が転送中であるとした場合、Ｓ１４０４でＮＯの処理に移行し、ステップ１４０１で待機する。そしてその後、ステップＳ１４０１で、印刷ジョブＡのジョブ送信完了やジョブ削除などを受け付けるとテップＳ１４０２からステップＳ１４０５に進み、ジョブＢの転送が直ちに開始される。
【０１１４】
次に、図１４のフローチャートの処理に基づき特にプリントキュー７０１でスケジュールアップ要求を受け付けてから、ネットワークプリンタ１０２〜１０４に印刷データを送信するまでの処理の流れについて説明する。図１５は、プリントキュー７０１での負荷分散印刷処理について示すフローチャートである。また、図１６、図１７は、図１５のフローチャートに関連した処理を表した図である。
【０１１５】
負荷分散印刷では、予め設定された親のプリンタの実ジョブキューに実ジョブが登録され、バックアッププリンタの仮想ジョブキューに仮想ジョブが登録される。１つのプリントキューにおいて、これらのジョブの中で早くスケジュールアップ要求を受け付けた印刷ジョブがネットワークプリンタ１０２〜１０４に転送される。
【０１１６】
ステップＳ１５０１では、スケジュール要求（スケジュールアップ）を受け付けたか判断する。スケジュールアップを受け付けると処理をＳ１５０２に移行し、スケジュールアップが来なければステップＳ１５０１で待機する。
【０１１７】
ステップＳ１５０２では、スケジュールアップを受け付けた印刷ジョブが負荷分散ジョブかどうかを判断する。ジョブ情報のプリントタイプの情報を取得し、プリントタイプが負荷分散印刷であれば、ステップＳ１５０３に処理を移行する。負荷分散印刷でなければ、ステップＳ１５１１に処理を移行し、実ジョブキューに登録された実ジョブ情報に基づく印刷ジョブがネットワークプリンタに転送される。
【０１１８】
ステップＳ１５０３では、スケジュールアップのジョブが仮想ジョブであるか、実ジョブであるかを判断する。仮想ジョブであれば、ステップ１５０４に処理を移行し、実ジョブであればステップＳ１５１３に処理を移行する。
【０１１９】
ここで、仮想ジョブのスケジュールアップをユーザに通知してもよい。つまり、ユーザが指定した負荷分散プリントデバイスではなく、バックアッププリントデバイスにおいて印刷が実行されることを通知すれば、ユーザは印刷結果が出力されるプリンタを特定することができ、利便性が高い。
【０１２０】
ステップＳ１５０４において、実ジョブ情報を参照するために仮想ジョブ情報中の実ジョブＩＤを取得する。ステップＳ１５０５では、ステップＳ１５０４で取得した実ジョブＩＤを用いて実ジョブ情報を参照し、実ジョブ情報に含まれる仮想ジョブＩＤを取得する。
【０１２１】
ステップＳ１５０６では、ステップＳ１５０５で取得した仮想ジョブＩＤから、スケジュールアップ要求が発生した仮想ジョブ以外の同内容の仮想ジョブを認識し、スケジュールアップ要求を受けていない送信の対象とならなかった他の仮想ジョブを、順に削除する（図１６の矢印ｇ）。
【０１２２】
ステップＳ１５０７において、ステップＳ１５０５で取得した仮想ジョブで、ステップＳ１５０６で削除していない仮想ジョブが残っていればステップＳ１５０６に処理を移行し、仮想ジョブが残っていなければ、ステップＳ１５０８に処理を移行する。これにより、スケジュールアップ要求が発生した仮想ジョブと同内容の、他のすべての仮想ジョブを削除する。
【０１２３】
ステップＳ１５０８、Ｓ１５０９では、スケジュールアップ要求が発生した仮想ジョブを実ジョブに変更する処理を行う。そしてこの変更処理により仮想ジョブ情報が実ジョブ情報になり、変更前の実ジョブ情報に対応する印刷ジョブの送信は行わない。
【０１２４】
まず、ステップＳ１５０８において、仮想ジョブ情報を、実ジョブキュー８０１Ｂに登録する（図１６の矢印ｈ）。この時点で操作対象の印刷ジョブに関連した仮想ジョブ情報はすべて無くなる。更に、ステップＳ１５０９において、その仮想ジョブ情報中の実ジョブＩＤから対応する実ジョブ（ここではプリントキュー７０１に登録された実ジョブＩＤ「７」の実ジョブ）を特定し、その実ジョブ情報を取得し、実ジョブキュー８０１Ｂ内の仮想ジョブ情報（ここではＩＤ「９」）に情報をコピーする。この時点で、実ジョブキュー８０１Ｂには、ＩＤ「９」の実ジョブが格納されることになる。
【０１２５】
更にステップＳ１５１０において、スケジュールアップ要求が発生した仮想ジョブ情報の実ジョブＩＤに登録されていた実ジョブ（ここではプリントキュー７０１に登録された実ジョブＩＤ「７」の実ジョブ情報）を削除する（図１６の矢印ｉ）。これらの処理の結果、図１７のような状況となる。そして、ステップＳ１５１１において、元々実ジョブの印刷ジョブあるいは実ジョブに変更された印刷ジョブを対応するネットワークプリンタに転送する。より具体的に説明すると、最終的に対象となる図１０の実ジョブ情報（ステップＳ１５０３でＮｏと判断された実ジョブ情報、あるいは、ステップＳ１５０９において切り替えられた実ジョブ情報）から特定されるスプールファイル名の印刷データが、実ジョブ情報が登録されている実ジョブキューに対応する論理プリンタの出力ポートに関連付けられたＩＰアドレス又は名前解決に利用するネームに基づき転送される。
【０１２６】
そして、印刷ジョブの転送が終了したらステップＳ１５１２でジョブの送信終了の通知を行う。なお、図１６の矢印ｉの処理が実行し終えるまで二つの実ジョブが存在するが、図１６の矢印ｇから矢印ｉまでのの処理を一筆書きの（コンテキストチェンジを発生させない）プログラムで実現すれば問題は起こらない。また、図１６の矢印ｉと矢印ｈの処理順序を逆にするようにしても良い。更に、上に説明では不要となった仮想ジョブ情報及び実ジョブ情報を削除するよう説明してきたが、例えば、不要になった印刷ジョブ情報にそれを示すフラグを付加して、付加後のジョブ情報を対応するプリントデバイスに送信するようにし、プリンタ側でフラグを参照し受信した印刷ジョブ情報を破棄するようにしても良い。
【０１２７】
負荷分散処理により発生した実ジョブと複数の仮想ジョブの内、スケジュールアップを受けたジョブが実ジョブの場合には、ステップＳ１５０３からステップＳ１５１３に移行する。ステップ１５１３では、実ジョブ情報からすべての仮想ジョブ情報を取得し、ステップＳ１５１４においてすべての仮想ジョブを削除し、ステップＳ１５１１においてスケジュールアップを受け付けた実ジョブを対応するネットワークプリンタに転送する。なお、上にも説明したようにステップＳ１５０６や、ステップＳ１５１４において実ジョブあるいは仮想ジョブを削除するように説明したが、スケジュールアップ要求を受けていない他の印刷ジョブ（実ジョブあるいは仮想ジョブ）に対応する印刷ジョブ情報のみをネットワークプリンタに転送し、ネットワークプリンタにおいて削除するようにしても良い。
【０１２８】
一方。ステップＳ１５０２においてスケジュールアップを受けた印刷ジョブのプリントタイプが負荷分散印刷でなければ、ステップＳ１５１１に処理を移行し、そのままネットワークプリンタに転送される。
【０１２９】
本実施形態は、独自に作成した送信出力ポートにスプールジョブを転送しても良いし、オペレーティングシステムに用意された送信出力ポートに対して印刷ジョブを転送させてもよい。
【０１３０】
ここで、図１３に示したような複数のプリントキューを、例えば図６Ａ、Ｂにおけるプリントマネージャ６０９を用いてディスプレイ表示させる際には、仮想ジョブキューに登録された仮想ジョブ情報は表示せずに、実ジョブキューに登録された実ジョブ情報のみを選択的に表示する。
【０１３１】
プリントマネージャ６０９からＡＰＩを介してジョブ制御プリントサービス６０５に対して印刷ジョブの実行状況の要求が行なわれると、ジョブ制御プリントサービス６０５は、実ジョブキューに登録された実ジョブ情報とに仮想ジョブキューに登録された仮想ジョブ情報とから、実ジョブキューに登録された実ジョブ情報を抽出する。そして、抽出された実ジョブ情報がプリントマネージャ６０９に通知され、通知された実ジョブ情報に基づく印刷ジョブの実行状況が表示される。すなわち、実ジョブ情報のみをユーザに報知するため、ユーザの混乱を防ぐことができる。
【０１３２】
なお、ジョブ制御プリントサービス６０５からのプリントジョブマネージャ６０９に対する能動的な通知に基づきジョブの実行状況の表示を行わせてもよい。また、ジョブ制御プリントサービス６０５からプリントジョブマネージャ６０９に実ジョブ情報及び仮想ジョブ情報の双方を通知して、実ジョブ情報の抽出をプリントマネージャ６０９に行わせるようにしても良い。
【０１３３】
図１８に、基本プリントキューに対応する論理プリンタに対して、バックアッププリントキューに対応する論理プリンタを関連付けるための、設定画面を示す。この図１８は新規に論理プリンタを作成あるいは追加する際に表示されるものであるが、既に作成された論理プリンタの設定を変更する場合などに表示させるようにしても良い。
【０１３４】
１８０１は、論理プリンタ名を入力する入力欄である。キーボード等を介してユーザが任意に名前を指定することができる。１８０２は、プリンタドライバ名を表示する表示欄である。「ドライバの選択」ボタンを選択することにより、ユーザが選択可能な複数のプリンタドライバのリストが表示され、そのリストから選択されたプリンタドライバの名前が表示欄１８０２に表示される。
【０１３５】
１８０６はプリンタドライバに関連付けるポートを選択する選択画面を表示させるための「ポートの選択」ボタンである。「ポートの選択」ボタン１８０６が選択されると、システムに登録されている複数のポートが選択可能な形態で提示される。
【０１３６】
１８０３は論理プリンタの出力方法を選択するための選択欄である。この選択欄において、出力方法として「負荷分散印刷」を指定することができる。
【０１３７】
１８０４は、１８０１、１８０６で設定された所定の論理プリンタに対するバックアッププリンタ（例えば図１３のバックアッププリントキュー７０１Ａ、７０１Ｂに対応）のリストを表示する表示欄である。１８０５は、バックアッププリンタを設定するための「バックアッププリンタ設定」ボタンである。「バックアッププリンタ設定」ボタン１８０５が選択されると、バックアッププリンタとして設定可能な論理プリンタのリストが表示される。そして、そのリスト中から選択された論理プリンタがバックアッププリンタとして設定され、バックアッププリンタリスト表示欄１８０４に表示される。「バックアッププリンタ設定」ボタン１８０５が選択された場合に、指定されたプリンタドライバにより特定されるプリンタモデルやプリンタ言語に互換性のあるプリンタのみをリスト表示すれば、ユーザは適切なバックアッププリンタを効率よく選択することができる。
【０１３８】
このように、図１８に示す画面で設定された設定情報は、図９や、図１０や、図１１の情報の各項目に反映される。つまり、図１８に示す画面は見かけ上、論理プリンタ同士の関係を設定するための設定画面であるが、その設定画面に対する設定内容は結果としてプリントキュー同士の関係を設定するものとなる。従って、図１８は、基本プリントキューに対してバックアッププリントキューを対応付けるための設定画面と言い換えることができる。
【０１３９】
以上、説明したように、本実施の形態では、アプリケーションが負荷分散プリンタに印刷すると、負荷分散設定のプリンタに対応するプリントキューに実ジョブが、バックアッププリンタに対応するプリントキューに仮想ジョブが作成され、これらのジョブ情報の中で一番早くスケジュールアップを受け付けたジョブが実ジョブとしてネットワークプリンタに転送される。そのため、複数のネットワークプリンタ内で転送可能になるのが早いネットワークプリンタを効率的に選択して印刷ジョブが転送されることになる。その結果、大量の印刷ジョブを複数のネットワークプリンタで効率的に処理することができ、印刷ジョブが存在している間は複数のネットワークプリンタをフルに稼動することができる。
【０１４０】
また、同じ印刷データを、複数のキューに重複して登録することもなく、メモリ容量及びメモリ処理の負荷を小さくできる。また、仮想ジョブ情報は表示されないため、一時的にでも、複数の同じ印刷データがキューを占有するということはなく、ユーザを混乱させることもない。更に、システム上に共有プリントキューという特別なキューを設定する必要もないため、ユーザは従来と同じ感覚で印刷を行うことにより負荷分散印刷を行うことができる。ユーザは、印刷アプリケーションに複雑な機能を組み込まなくても、複数のプリントデバイスを効率よく利用することができる。
【０１４１】
（他の実施形態）
以上、本発明の実施形態について詳述したが、本発明は、複数の機器から構成されるシステムに適用しても良いし、また、一つの機器からなる装置に適用しても良い。
【０１４２】
なお、本発明は、前述した実施形態の機能を実現するソフトウェアのプログラムを、システムあるいは装置に直接あるいは遠隔から供給し、そのシステムあるいは装置のコンピュータが供給されたプログラムコードを読み出して実行することによっても達成される場合を含む。その場合、プログラムの機能を有していれば、形態は、プログラムである必要はない。
【０１４３】
従って、本発明の機能処理をコンピュータで実現するために、コンピュータにインストールされるプログラムコード自体も本発明を実現するものである。つまり、本発明のクレームでは、本発明の機能処理を実現するためのコンピュータプログラム自体も含まれる。
【０１４４】
その場合、プログラムの機能を有していれば、オブジェクトコード、インタプリタにより実行されるプログラム、ＯＳに供給するスクリプトデータ等、プログラムの形態を問わない。
【０１４５】
プログラムを供給するための記録媒体としては、例えば、フロッピー（登録商標）ディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ，ＤＶＤ−Ｒ）などがある。
【０１４６】
その他、プログラムの供給方法としては、クライアントコンピュータのブラウザを用いてインターネットのホームページに接続し、ホームページから本発明のコンピュータプログラムそのもの、もしくは圧縮され自動インストール機能を含むファイルをハードディスク等の記録媒体にダウンロードすることによっても供給できる。また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明のクレームに含まれるものである。
【０１４７】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせ、その鍵情報を使用することにより暗号化されたプログラムを実行してコンピュータにインストールさせて実現することも可能である。また、コンピュータが、読み出したプログラムを実行することによって、前述した実施形態の機能が実現される他、そのプログラムの指示に基づき、コンピュータ上で稼動しているＯＳなどが、実際の処理の一部または全部を行い、その処理によっても前述した実施形態の機能が実現され得る。
【０１４８】
更に、記録媒体から読み出されたプログラムが、コンピュータに挿入された機能拡張ボードやコンピュータに接続された機能拡張ユニットに備わるメモリに書き込まれた後、そのプログラムの指示に基づき、その機能拡張ボードや機能拡張ユニットに備わるＣＰＵなどが実際の処理の一部または全部を行い、その処理によっても前述した実施形態の機能が実現される。
【図面の簡単な説明】
【０１４９】
【図１】本発明の実施形態としてのプリントシステムの全体構成を示すブロック図である。
【図２】サーバまたはクライアントのハードウェア構成を説明するブロック図である。
【図３】図２に示したＲＡＭ２０２のメモリマップの一例を示す図である。
【図４】図２に示したＦＤ２０４のメモリマップの一例を示す図である。
【図５】図２に示したＦＤドライブ２０３に対して挿入されるＦＤ２０４との関係を示す図である。
【図６Ａ】プリントシステムのソフトウェア構成の１例を示す図である。
【図６Ｂ】プリントシステムのソフトウェア構成の、他の例を示す図である。
【図７】負荷分散印刷時の印刷ジョブの流れを示す図である。
【図８】プリントキューと実ジョブキュー及び仮想ジョブキューの関連を表す図である。
【図９】プリントキュー情報の内容を示す図である。
【図１０】実ジョブ情報の内容を示す図である。
【図１１】仮想ジョブ情報の内容を示す図である。
【図１２】印刷ジョブを受け付けてから、仮想ジョブを作成する処理の流れを示すフローチャートである。
【図１３】実ジョブ、仮想ジョブと実ジョブキュー、仮想ジョブキュー、プリントキュー、バックアッププリントキューの関連を示す図である。
【図１４】スケジュールアップの処理を示すフローチャートである。
【図１５】スケジュールアップから印刷するまでの処理を示すフローチャートである。
【図１６】実ジョブ、仮想ジョブと実ジョブキュー、仮想ジョブキュー、プリントキュー、バックアッププリントキューの関連を示す図である。
【図１７】実ジョブ、実ジョブキュー、仮想ジョブキュー、プリントキュー、バックアッププリントキューの関連を示す図である。
【図１８】論理プリンタに関する情報を設定するための画面の１例を示す図である。
【図１】
2006209809.tif 000003
【図２】
2006209809.tif 000004
【図３】
2006209809.tif 000005
【図４】
2006209809.tif 000006
【図５】
2006209809.tif 000007
【図６Ａ】
2006209809.tif 000008
【図６Ｂ】
2006209809.tif 000009
【図７】
2006209809.tif 000010
【図８】
2006209809.tif 000011
【図９】
2006209809.tif 000012
【図１０】
2006209809.tif 000013
【図１１】
2006209809.tif 000014
【図１２】
2006209809.tif 000015
【図１３】
2006209809.tif 000016
【図１４】
2006209809.tif 000017
【図１５】
2006209809.tif 000018
【図１６】
2006209809.tif 000019
【図１７】
2006209809.tif 000020
【図１８】
2006209809.tif 000021